(57)【要約】【課題】      蒸れ感のないかつら用基布の提供【解決手段】  糖アルコールを含有させた素材をかつら用基布とする【選択図面】  図５
2005290599.tif 000002
【特許請求の範囲】
【請求項１】
かつら用基布として、糖アルコールを含有させた素材を用いたことを特徴とするかつら用基布。
【請求項２】
素材が、メッシュ素材であることを特徴とする請求項１記載のかつら用基布。
【請求項３】
素材が、人工皮膚であることを特徴とする請求項１記載のかつら用基布。
【請求項４】
糖アルコールが、エリスリトール、キシリトール、マンニトール、ソルビトール、ラクチトールから選択された１あるいは複数であることを特徴とする請求項１〜３のいずれかに記載のかつら用基布。
【請求項５】
頭部の発汗し易い場所に対応した箇所及び／又はかつら用基布が密着し易い箇所に糖アルコールを多く分布させたことを特徴とする請求項１〜４のいずれかに記載のかつら用基布。
【請求項６】
頭部の発汗し易い場所に対応した箇所及び／又はかつら用基布が密着し易い箇所が、こめかみ部、前頭部、頭頂部、後頭部、周縁部、耳の周囲部から選択された１あるいは複数から構成されることを特徴とする請求項５に記載のかつら用基布。
【請求項７】
頭部の発汗し易い場所に対応した箇所及び／又はかつら用基布が密着し易い箇所が、糖アルコールを含有する素材を多重にすることにより構成したことを特徴とする請求項５又は６記載のかつら用基布。
【請求項８】
頭の形に成型したかつら用基布に糖アルコール含有処理したことを特徴とする請求項１〜７のいずれかに記載のかつら用基布。
【請求項９】
請求項１〜８のいずれかに記載のかつら用基布を用いたことを特徴とするかつら。
【請求項１０】
植毛したかつらの基布に糖アルコールを含有処理したことを特徴とするかつら。
【発明の詳細な説明】
【技術分野】
【０００１】
本発明は、かつらの基布及びかつらに関する。かつらは、基布に人工毛や人毛を取り付けて構成される。
【背景技術】
【０００２】
かつらは、通常に髪の薄くなった人を中心に用いられている他、ファッション性あるいは治療によって頭髪を一時的に失った人などが利用している。利用者は、男性、女性、若年、高齢を問わない。
【０００３】
かつらの着用は、かつらの特性により、１ヶ月以上連続から外出時や面接時の一時的使用まで多様である。かつらの利用者は、着用により大なり小なり違和感を感ずるものであり、蒸れ感を伴う場合は、使用性を悪く感ずるものである。蒸れ感は、梅雨や夏場あるいは、高い室温の場所で感ずることが多い。
かつらは、主に、頭皮に接する基布の部分と基布に取り付けられる人工毛や人毛等の疑似毛から大きく構成される。蒸れ感は、頭皮から放出された汗などの発散がこの基布及び疑似毛によって、妨害されることによることが多い。
この蒸れによって、雑菌が繁殖し異臭の原因ともなっている。
このような違和感は、長期間連続して着用する利用者よりも一時的に着用する利用者が、日常と異なるために強く不快感を感ずるものである。
蒸れ感対策として、従来は、次のような提案がある。
特許文献１（特開２００２−２７５７２０号公報）には、人体の頭部１０に被着するキャップ状の内側ネットキャップ２の外側に毛髪取付キャップ３を一体に固定して両者の間に空洞部６を形成し、空洞部６により通気性を向上させて、かつら内部が蒸れるのを防止する構造に着目した構成が開示されている。
特許文献２（特開２００１−３３６０１７号公報）には、取付に利用するメンファスナーに窓孔や切り欠き部を設けて通気性を確保して、蒸れを防止する構成が開示されている。
特許文献３（特開平１１−３２３６４６号公報）には、つむじや分け目等に使用する擬似皮膚部材をかつら本体の網地の網目よりも細かい網目の網地で構成して、通気性を確保して蒸れを防止する構成が開示されている。
特許文献４（特開平１１−２９３５１２号公報）には、基布の周縁部まで網地で構成することにより、通気性を確保して、蒸れ感を防止する構成が開示されている。
【特許文献１】特開２００２−２７５７２０号公報
【特許文献２】特開２００１−３３６０１７号公報
【特許文献３】特開平１１−３２３６４６号公報
【特許文献４】特開平１１−２９３５１２号公報
【発明の開示】
【発明が解決しようとする課題】
【０００４】
従来の蒸れ感防止は、通気性を向上させる構造に工夫を加えてものであって、構造に限定があり、自由度が低いものであった。本発明は、構造に特定されない自由度が高い蒸れ感の防止できるかつら用基布を提供することを課題とする。
【課題を解決するための手段】
【０００５】
本発明は、構造に限定されない蒸れ感の無いかつらを鋭意研究開発続けた結果、糖アルコールを含有させたかつら用基布を用いることによって、蒸れ感が無く、清涼感のあるかつらを提供するものである。
【０００６】
（１）  かつら用基布として、糖アルコールを含有させた素材を用いたことを特徴とするかつら用基布。
（２）  素材が、メッシュ素材であることを特徴とする（１）記載のかつら用基布。
（３）  素材が、人工皮膚であることを特徴とする（１）記載のかつら用基布。
（４）  糖アルコールが、エリスリトール、キシリトール、マンニトール、ソルビトール、ラクチトールから選択された１あるいは複数であることを特徴とする（１）〜（３）のいずれかに記載のかつら用基布。
（５）  頭部の発汗し易い場所に対応した箇所及び／又はかつら用基布が密着し易い箇所に糖アルコールを多く分布させたことを特徴とする（１）〜（４）のいずれかに記載のかつら用基布。
（６）  頭部の発汗し易い場所に対応した箇所及び／又はかつら用基布が密着し易い箇所が、こめかみ部、前頭部、頭頂部、後頭部、周縁部、耳の周囲部から選択された１あるいは複数から構成されることを特徴とする（５）に記載のかつら用基布。
（７）  頭部の発汗し易い場所に対応した箇所及び／又はかつら用基布が密着し易い箇所が、糖アルコールを含有する素材を多重にすることにより構成したことを特徴とする（５）又は（６）記載のかつら用基布。
（８）  頭の形に成型したかつら用基布に糖アルコール含有処理したことを特徴とする（１）〜（７）のいずれかに記載のかつら用基布。
（９）  （１）〜（８）のいずれかに記載のかつら用基布を用いたことを特徴とするかつら。
（１０）  植毛したかつらの基布に糖アルコールを含有処理したことを特徴とするかつら。
【発明の効果】
【０００７】
１．糖アルコールが吸湿溶解の際に生ずる吸熱作用によって、頭に清涼感を感じさせることができる。
２．糖アルコールを付着させたネット製の基布や人工皮膚を用いるので従来のかつらの構造に何ら制限を加えることなく使用できる。
３．糖アルコールの種類と基布の種類とを選択的に組み合わせると、吸着力、吸着量を増加させることができ、使用時間を長くすることができる。
４．乾燥によって、糖アルコールは固体に戻るので、繰り返し使用ができる。
５．発汗の多い箇所や、かつらが頭皮に密着する箇所に糖アルコールを多量に配置することにより、吸熱作用を強化することができ、清涼感を持続させることができる。
【発明を実施するための最良の形態】
【０００８】
糖アルコールは水に溶解する際に吸熱反応をする。本発明はこの吸熱反応を利用している。つまり、汗等の水分が作用した際に吸熱反応が生じることで温度が低下する。
糖アルコールの１つであるキシリトールは、水に溶解する際に吸熱するので、キャンディーやガムに使用されて、クール感を楽しむものとなっている。また、歯の再石灰化を促進する等の効果も知られている。糖アルコールではこの他エリスリトールも実用化されている。吸熱反応自体はエリスリトールの方が強く、本発明の実施例の加工では、キシリトールとエリスリトールの混合物を使用している。本発明は、この吸熱反応の作用をかつらに取り込むものである。
糖アルコールは、エリスリトール、ソルビトール、マルチトール、キシリトール、マンニトール、ラクチトール、パラチニット等が挙げられる。これらは吸熱反応を起こすので、これらを単独或いは組み合わせて用いることができる。エリスリトール及びキシリトールが吸熱反応が強く、これらを使用することが好ましい。
各種の糖アルコール溶解熱による吸熱反応を図１（早川幸男  編著「糖アルコールの新知識」1996.10.25発行  ７３頁  参照）に示す。
【０００９】
かつらは、主にベースを構成する基布とベースに植毛された疑似毛から構成される。
基布は、メッシュ素材、編成ネット、布地素材、人工皮膚素材などから構成される。これらの素材を、利用者の頭の形状あるいは増毛したい箇所の部分の形状に加工成形して、ベースを作成する。人工皮膚素材は、シート状であって、頭髪の分け目やつむじなど頭皮が見えやすい箇所に用いられる。かつら用基布は、一枚で形成することもできるし、トリミングして縫製などの加工処理をして使用形状に成形することもできる。
糖アルコールのかつらへの分布は、頭の発汗しやすい場所に対応する箇所、かつらが密着する箇所、暑さを強く感ずる箇所に多く分布させるようにすると、冷涼性能などを高め、効果を高めることができる。
【００１０】
具体的には、こめかみ部、前頭部、頭頂部、後頭部、周縁部、耳の周囲部があげられる。個々の利用者に応じて、その他の箇所も含めて選択、増減可能である。糖アルコールを多く分布させる手段としては、糖アルコールの付着量の多い基布を該当部分に用いること、あるいは、基布を多重に重ね合わせて該当個所を作成する手段を採用することができる。前者として、人工皮膚を用いる例が、後者として、かつらの周縁部で折り返して２重、３重にする例があげられる。折り返す回数や、耳の周囲など複雑な形状部に対応する場合は、基布を型取りトリミングして重ね合わせて加工することができる。また、側頭部、頭央部など部分別にトリミングして縫製などの接合手段により成形することもできる。
【００１１】
基布の材質は、ナイロン、ポリエステル、シリコンなど既存の材質を用いることができる。これらの内、人工皮膚には、ポリウレタンやシリコンをシート状にしたものが用いられる。
【００１２】
基布への付着方法としてはマイクロカプセルに内包させたものを基布へ付着させる方法とベシクル構造を利用して付着させる方法等がある。
糖アルコールを基布に付着させる加工剤は、キシリトール、エリスリトールの他、糖アルコールの付着強度の調整剤や肌触りの調整剤として、スクワラン、シルクプロテイン、ウンデシレン酸モノグリセリドなどを配合して使用する。加工剤には、例えば、キシリトールとエリスリトールを７：３に配合し、加工剤全体の１０〜２０％含有させて調整し、この加工剤を処理対象の基布あたり１〜２０％の濃度の水溶液に調整して使用する。
基布への加工方法としては基布を加工剤の水溶液に浸漬しバッチ処理により３０〜６０℃で２０〜６０分程度処理した後乾燥させる。処理温度、時間は、加工剤の配合、基布の材質などにより適宜変更される。処理対象は、素材、型取り後の基布、基布を頭の形状に成形したベースの状態、ベースに植毛した後、既存のかつらとすることが可能である。また、パッドドライ方法でも可能である。
【００１３】
用途としては、一般的なかつら用が可能であり、特に、外出時の着用、ファッション的着用、医療用などの入院患者などの着用用などがあげられる。特に、一時使用に適する。湿気を吸収し溶解時に吸熱し、乾燥によって固体に戻る可逆反応を利用するので、取り外して乾燥する期間を設けることが繰り返し使用には大切である。
【００１４】
使用によって、性能が低下することがあるが、かつらに再度糖アルコール付着処理を施すことにより、初期の性能を回復させることができる。再付着処理では、かつら全体へ糖アルコールが付着することがある。
【実施例１】
【００１５】
キシリトールとエリスリトールの重量割合が７：３として加工剤を調整した。本実施例では、バイエル社製（商品名：TastexCool  ）の加工剤に水を加えて、濃度を1%、3%、5%の水溶液を使用した。
かつら基布を、1%、3%、5%濃度の加工剤水溶液に浸漬し、夫々、50℃で30分間処理した後乾燥し、キシリトールとエリスリトールを付着させたかつら用基布を得た。
【００１６】
吸熱性能測定試験
得られた基布の吸熱基本性能を測定した。
前記の加工剤の1%、3%、5%濃度希釈溶液に浸漬し、50℃で30分間処理して得た基布を試験に供した。基布の吸熱性能の測定結果を表１に示す。
１）十分に乾燥させたかつら基布を四つ折りにし、中央部に温度計を挟む。
２）かつら基布をクリップで挟み、温度計を固定する。
３）かつら基布に約0.4mlの蒸留水を滴下し、温度の経時変化を記録する。
【００１７】
表１  基布の吸熱性能測定結果
2005290599.tif 000003
【００１８】
加工済かつら基布は、測定開始１０分後には未加工基布に比べて、2.5℃程、温度が低下している。１％と３％では温度低下に差は見られないが、５％では０．２〜０．６℃温度低下大きく、糖アルコールの付着量が多いほど温度低下が大きいことが示されている。
【００１９】
この基布を利用して、かつらのベースを作成し、これに人毛、人工毛などの疑似毛を植毛し、また、分け目やつむじに相当する箇所に人工皮膚を必要に応じて取り付ける。
メッシュ素材を使用した例を示す。
【００２０】
糖アルコール付着処理したメッシュ生地を、左右の側頭部と前頭−頭頂−後頭に一連に連なる中央部の３部分に分割する。この分割部分を縫製などの手段によって接合して、頭の形状に合わせたかつら用ベースを作成する。頭の形状は利用者によって個性があるので、その形状に合わせたように作成することもできる。また、既製品化することもできる。既製品の場合は、アジャスターを設けて調整可能にすることもできる。
【００２１】
図示した完成したかつらベースを参考に説明する。
図２は側面図、図３は正面図、図４は後面図、図５は斜視図を示す。
本例は、左右の側頭部２、２と前頭−頭頂−後頭に一連に連なる中央部３の基本３部分から構成されたかつらベース１である。側頭部２は、略半円状の基本形にこめかみ部８、もみあげ部９を備え、耳後部１０から構成されている。中央部３は、前頭部４−頭頂部６−後頭部５を一連にトリミングしたもので、前頭部４の先端縁には髪の額生際部７、後頭部５の先端縁には後首際部１１を備えている。３つの基本部分は縫い合わせ部１２で縫い合わされて一体のかつらベース１が完成されている。このベースに、疑似毛を結着などの手段により植毛してかつらを完成させる。
本例では、額生際部７、こめかみ部８、もみあげ部９、後首際部１１のそれぞれは、二重に構成している。額生際部７は中央部３の先端を折り返して二重とし、他は、別体に作成して取付ている。別体の場合は、加工剤の濃度を濃くして、糖アルコールの付着量を多くした材料を使用することができる。また、基本部分を３以上にすることによって、部分的に糖アルコールの付着量を変更することが可能である。
【００２２】
人工皮膚は、貼着などの手段により設けることができる。また、人工皮膚を設ける箇所を袋状にして、人工皮膚を挿脱可能とし、取替可能とすることができる。この場合は、利用者の皮膚の色に合わせて適宜組み合わせて提供することもできる。
本例は、メッシュ素材であるので、通気性に優れ、糖アルコールの融解と乾燥の繰り返しが促進されるので、冷涼感の持続性に優れいている。
このかつらベースに疑似毛を植毛してかつらを完成し、モニター試着の結果では、冷涼感に優れているとの感触を得た。
【図面の簡単な説明】
【００２３】
【図１】各種の糖アルコール溶解熱による吸熱反応を示すグラフ
【図２】本実施例のかつらベースの側面図
【図３】本実施例のかつらベースの正面図
【図４】本実施例のかつらベースの後面図
【図５】本実施例のかつらベースの斜視図
【符号の説明】
【００２４】
１  かつらベース
２  側頭部
３  前頭−頭頂−後頭に一連に連なる中央部
４  前頭部
５  後頭部
６  頭頂部
７  額生際部
８  こめかみ部
９  もみあげ部
１０  耳後部
１１  後首際部
１２  縫い合わせ部
【図１】
2005290599.tif 000004
【図２】
2005290599.tif 000005
【図３】
2005290599.tif 000006
【図４】
2005290599.tif 000007
【図５】
2005290599.tif 000008